(57)【要約】      （修正有）【課題】キーホルダのような感覚で携帯できるとともに、自転車のフレームや手指等に対して容易に装着することのできる小型携帯電灯の提供。【解決手段】側部に発光体１２を保持するとともに、偏平状に形成された本体２と、上記本体の縁部に連結したループ状の弾性紐体３とを備え、上記本体の上面ないし側面に、上記弾性紐体のループを掛け回せる掛止手段３０を設ける一方、上記本体の下面に取付対象物に対接させられる対接部３１を設け、上記対接部を上記取付対象物に当接させた状態で、上記ループ状の弾性紐体を上記取付対象物及び上記掛止手段に掛け回して、上記本体を上記取付対象物に取り付けるように構成している。【選択図】  図１
2005235780.tif 000002
【特許請求の範囲】
【請求項１】
側部に発光体を保持するとともに、偏平状に形成された本体と、
上記本体の縁部に連結したループ状の弾性紐体とを備え、
上記本体の上面ないし側面に、上記弾性紐体のループを掛け回せる掛止手段を設ける一方、上記本体の下面に取付対象物に対接させられる対接部を設け、
上記対接部を上記取付対象物に当接させた状態で、上記ループ状の弾性紐体を上記取付対象物及び上記掛止手段に掛け回して、上記本体を上記取付対象物に取り付けるように構成した、小型携帯電灯。
【請求項２】
上記掛止手段が本体表面に形成した凹溝である、請求項１に記載の小型携帯電灯。
【請求項３】
上記掛止手段が上記本体表面から突出する凸条又は突起である、請求項１に記載の小型携帯電灯。
【請求項４】
上記対接部が凹部である、請求項１から請求項３のいずれかに記載の小型携帯電灯。
【請求項５】
上記対接部が所定間隔を開けて形成された少なくとも一対の凸条である、請求項１から請求項４のいずれかに記載の小型携帯電灯。
【発明の詳細な説明】
【技術分野】
【０００１】
本願発明は、小型携帯電灯に関する。詳しくは、キーホルダのような感覚で携帯できるとともに、自転車のフレームや手指等に対して容易に装着することのできる、小型携帯電灯に関する。
【背景技術】
【０００２】
従来の懐中電灯は、明るさ及び点灯時間を確保するため寸法の大きな電池を付属させる必要があった。このため、外形寸法が非常に大きくなり、持ち運びが面倒なだけでなく、他の装置等に容易に取り付けることができなかった。
【０００３】
近年、非常に小型で高輝度のＬＥＤ発光体が開発されてきた。この高輝度ＬＥＤを用いることにより、従来の懐中電灯を小型化することが可能となる。
【発明の開示】
【発明が解決しようとする課題】
【０００４】
上記のような高輝度ＬＥＤを用いることにより、懐中電灯の全体の寸法を小さくすることができる。また、円板状等の薄い板状の電池も開発されている。ところが、発光体の輝度と点灯時間を確保するためには、発光体に比べて非常に大きな電池を付属させなければならないことに変わりはない。
【０００５】
さらに、携帯電灯には、点灯、消灯を行うためのスイッチ等を設ける必要がある。ところが、携帯電灯の寸法を小さく設定すると、従来のスイッチ機構は発光体にくらべて非常に大きなものとなってしまう。また、携帯電灯を手指や他の機器に取付たい場合がある。ところが、従来の取付機構は、発光体や電池に比べて極めて大きくなってしまう。このため、持ち歩くための携帯電灯として兼用することは困難である。
【０００６】
本願発明は、上記問題を解決し、非常に小型でキーホルダの感覚で携帯することができるとともに、特殊な装置や部品等を用いることなく、指先や他の装置に容易に装着して使用することのできる小型携帯電灯を提供することをその課題とする。
【課題を解決するための手段】
【０００７】
上記課題を解決するため、本願発明では、次の技術的手段を講じている。
【０００８】
本願の請求項１に記載した発明は、側部に発光体を保持するとともに、偏平状に形成された本体と、上記本体の縁部に連結したループ状の弾性紐体とを備え、上記本体の上面ないし側面に、上記弾性紐体のループを掛け回せる掛止手段を設ける一方、上記本体の下面に取付対象物に対接させられる対接部を設け、上記対接部を上記取付対象物に当接させた状態で、上記ループ状の弾性紐体を上記取付対象物及び上記掛止手段に掛け回して、上記本体を上記取付対象物に取り付けるように構成した小型携帯電灯に係るものである。
【０００９】
上記本体ケース部は、点灯操作を行う回路基板と上記電池とを収納できるとともに可能なかぎり小さな寸法に設定するのが好ましい。上記本体ケース部の形態及び材料は特に限定されることはない。たとえば、厚さ方向中間部で分割できるように樹脂材料を射出成形して形成することができる。
【００１０】
上記発光体は、偏平状の本体の側部に配置される。好ましくは、本体内部に積層して収容された電池と回路基板の側部に配置するのが好ましい。また、発光部を上記本体ケース部の外側に露出させて保持するのが好ましい。
【００１１】
上記発光体として、種々のＬＥＤ発光体を採用できる。なお、携帯電灯として利用するためには、高い輝度で発光する発光体を採用するのが望ましい。
【００１２】
上記発光体を、積層した上記回路基板と上記電池の側部に配置することにより、本体ケース部の高さを小さくすることが可能となり、携帯電灯の格段の小型化を図ることができる。たとえば、上記発光体の中心軸を、上記回路基板と上記電池から構成される積層部の高さ方向中央部において本体ケース部の側方に向けて光を照射するように設定できる。
【００１３】
上記発光体の点灯操作を行う操作部は、上記本体ケース部の上部又は側部に設けるのが好ましい。上記操作部の形態、構造は特に限定されることはない。
【００１４】
上記電池の形態も、上記本体に収容できる板状であれば特に限定されることはない。また、使用する数も限定されることはなく、複数枚の電池を積層することにより、電圧を高めて高い輝度を得ることもできる。
【００１５】
本願発明に係る携帯電灯は、偏平状に形成されるとともに、全体の寸法が非常に小さい。このため、他の装置等に取り付けるための部材等を付加することは困難である。このため、本願発明では、本体ケース部自体と、ループ状の弾性紐体を用いて、種々の取付対象物に取り付けることができるように構成したものである。
【００１６】
本願の請求項１に記載した発明は、側部に発光体を保持するとともに、偏平状に形成した本体と、上記本体の縁部に連結したループ状の弾性紐体とを備え、上記本体の上面ないし側面に、上記弾性紐体のループを掛け回せる掛止手段を設ける一方、上記本体の下面に取付対象物に対接させられる対接部を設け、上記対接部を上記取付対象物に当接させた状態で、上記ループ状の弾性紐体を上記取付対象物及び上記掛止手段に掛け回して、上記本体を上記取付対象物に取り付けるように構成したものである。
【００１７】
上記弾性紐体の形態は特に限定されることはない。たとえば、ゴム輪あるいはゴム紐の周囲を繊維で被覆したものを採用できる。
【００１８】
上記ループの形態も特に限定されることはなく、上記本体に掛け回すことができる程度のものであればよい。
【００１９】
上記掛止手段として、種々の形態を採用できる。たとえば、請求項２に記載した発明のように、上記本体に凹溝を形成して構成することができる。上記凹溝は、上記本体の上面のみに設けることもできるし、本体の上面から側面にかけて形成することもできる。
【００２０】
また、請求項３に記載したように、上記本体から突出する凸条又は突起を形成して構成することができる。上記凸条及び突起の形態は特に限定されることはなく、上記ループ状の弾性紐体を掛け回せることができればよい。
【００２１】
一方、上記対接部の形態も限定されることはなく、取付対象物の形態に応じて形成すればよい。たとえば、請求項４に記載したように、凹部を形成して構成することができる。また、種々の形態の凹部を採用できる。たとえば、円筒内面状の溝状凹部を採用できる。溝状凹部の方向も限定されることはなく、発光体の照射方向に形成することもできるし、照射方向と直角方向に形成することもできる。
【００２２】
また、請求項５に記載した発明のように、上記対接部として、所定間隔を開けて形成された少なくとも一対の凸条を採用できる。
【発明を実施するための最良の形態】
【００２３】
以下、本願発明の実施の形態を図に基づいて具体的に説明する。
【００２４】
図１から図５に示すように、本実施の形態に係る携帯電灯１は、本体２と、上記本体２の後縁部に連結したループ状の弾性紐体３とを備える。図２に示すように、上記本体２は平面輪郭が卵状の形状を備える。上記本体２の後縁部には、上下方向に貫通する連結孔４が形成されており、金属性のリング５を介して上記弾性紐体３が連結されている。上記弾性紐体３の中間部には拘束帯６が設けられている。
【００２５】
上記本体２は、図８に示すように、上部材７及び下部材８とからなる本体ケース部９と、上記本体ケース部９の内部に収容される回路基板１０と、二枚の円板状電池１１，１１と、発光体１２とを備える。また、上記上部材７の中央部には、上記発光体１２の点灯操作を行うための操作部１３が設けられている。本実施の形態に係る本体２は、厚さ約１０ｍｍ、図２における縦方向寸法２６ｍｍ、横方向寸法３６ｍｍに形成されている。
【００２６】
上記本体ケース部９を構成する上記上部材７及び下部材８は、樹脂成形により形成されており、上記上部材７に形成した図示しない嵌合突起を上記下部材８に形成した図示しない嵌合孔に嵌合させることにより組付けられている。上記上部材７と上記下部材８の前方側部には、組付け状態で上記発光体１２を外側に露出させて保持できる保持孔１４が形成されている。また、後端部には、ドライバ等によって上記上部材７と上記下部材８とを分離させて電池交換等を行うための切欠き溝４４が形成されている。
【００２７】
上記回路基板１０は、図６及び図７に示すように、既知の基板材料を用いて上記電池１１とほぼ同様の大きさの平面視矩形状に形成されるとともに、上面にスイッチング回路１５が形成されている。上記スイッチング回路１５は、上記操作部１３によって、接点１６ａ，１６ｂ短絡させることにより上記発光体１２の点灯を行う接点部１６と、上記接点部１６の短絡操作により上記発光体１２を点滅させる制御回路１７とを備えて構成されている。なお、上記回路パターンにおける上記接点部１６以外の部分は絶縁材料で被覆されている。
【００２８】
上記回路基板１０の下面には、上記回路基板１０の上面側の接点１８に接続された導線１９が添着されている。上記導線１９は電池接点として設けられており、積層された電池１１の一方の電極２０ａに直接接触させられている。
【００２９】
上記回路基板１０の前縁部には、積層された上記電池１１，１１の他方の電極２０ｂへの接続を行うための接触片２１が接続されている。上記接触片２１は、上記電池１１，１１の側部を下方に向かう延出部２２ａと、他方の電極２０に弾性的に接触する接触部２２ｂとを備える。二枚の板状電池１１，１１は、上記回路基板１０と上記接触部２２ｂとの間において積層状態で保持される。
【００３０】
本実施の形態では、円板状の電池を２枚直列に接続することにより、高い電圧を発生させて高い輝度を得ることができるように構成している。
【００３１】
上記発光体１２は、高輝度の白色ＬＥＤを採用している。図６に示すように、上記発光体１２は、その中心軸が上記回路基板１０と電池１１，１１とを積層した積層部の高さ方向の中間部に位置するように配置している。上記発光体１２は、上記上部材７と上記下部材８の合わせ目に形成された保持孔１４から、先端部を外側に露出させて保持されており、本体２の側部外方に向けて光を照射することができるように構成されている。
【００３２】
上記発光体１２の後端部から延出するリード線２３は上方に向けて略Ｌ字状に屈曲させられて、上記回路基板１０の上面まで導かれ、回路基板縁部の接点にハンダ接合されている。上記構成によって、高さ方向の寸法を回路基板１０と電池１１，１１から構成される積層部とほぼ同じ寸法に抑えることが可能となり、携帯電灯の小型化、薄型化を図ることができる。
【００３３】
上記操作部１３は、図６及び図８に示すように、弾性のある操作体２４を用いて導電性ゴム２５を上記回路基板１０の接点部１６の上方に隙間を開けて保持して構成されている。
【００３４】
上記操作体２４は円筒状の上部２６と円錐外面状の裾部２７とを備え、下方に開口する中空状に形成されている。上記操作体２４の内部には、導電性ゴム２５が、上記接点部１６と隙間を開けて保持されている。上記上部２６は、上記上部材７に形成された貫通孔２８から外側に突出させられている。上記貫通孔２８は、上記裾部２７の外面形状に対応した円錐内面状に形成されるとともに下縁部に、円筒内面を備える保持部４５が延出形成されている。一方、上記裾部２７の下縁部は円筒外面状に形成されており、この下縁部を上記保持部４５に嵌め込むようにして、上記操作体２４を上記貫通孔２８に保持できるように構成している。上記構成により、組み付け作業を容易に行えるとともに、上記上部材７と下部材８とを分離させた際にも、上記操作体２４が上記上部材７から離脱することがなくなり、電池交換等を容易に行うことができる。
【００３５】
上記貫通孔２８の外側周縁部には球内面状に窪んだ凹部４３が形成されており、この凹部４３内に上記上部２６が突出させられている。上記上部２６を下方に押圧することにより、上記操作体２４の裾部２７が変形させられて上記導電性ゴム２５が上記接点部１６に接触させられ、上記接点１６ａ，１６ｂが短絡させられる。これにより、信号が出力されて上記発光体１２が点灯させられる。一方、押圧力を解除すると、上記裾部２７の弾力によって上記導電性ゴム２５が上記接点部１６から持ち上げられる。本実施の形態では、制御回路１７を設けることにより、上記接点部１６を繰り返し短絡させることにより、常時点灯と間欠点灯（フラッシング）と、消灯とを順次選択できるように構成している。
【００３６】
本実施の形態に係る上記凹部４３は、滑らかな曲面に形成された上記上部材７の外面との境界部の直径が約７ｍｍ、上記上部材７の外面からの深さを約０．７ｍｍに設定している。上記上部２６は上記凹部４３から外方へ突出しない高さに設定されており、使用者の手指の腹を上記凹部４３内へ押し入れるようにして、上記上部２６を押圧操作する。上記構成によって、ポケット等に入れて持ち歩いた場合等においても、誤って発光体が点灯することがなくなる。また、操作部１３の厚さ方向寸法を非常に小さく設定することが可能となり、本体２の薄型化を図ることが可能となる。
【００３７】
図９に、本願発明に係る携帯電灯１を自転車等のハンドルバー２９に装着した状態を示す。本願発明に係る本体２の上面ないし側面には、掛止溝３０が形成されている。上記掛止溝３０は、上記弾性紐体３のループ部３ａを掛け回すことができる幅及び深さに設定されている。
【００３８】
一方、上記本体２の下面には、円筒内面状の対接部３１が形成されている。上記対接部３１を上記ハンドルバー２９の上方外面に当接させた状態で、上記弾性紐体３を上記ハンドルバー２９の下方に掛け回し、ループ部３ａを上記掛止溝３０に掛け回して掛止する。これにより、上記携帯電灯１を上記ハンドルバー２９に容易に取り付けることができる。また、取り外す場合には、上記弾性紐体３のループ部３ａを掛止溝３０から外すだけでよい。
【００３９】
本願発明に係る形態電灯は、偏平状に形成され、しかも小型軽量に形成されているため、細いゴム紐程度の弾力で、ハンドルバー２９に確実に取り付けることができる。また、上記本体２には、上記弾性紐体３を掛け回すための掛止溝３０を設けたのみであるため、携帯電灯１の寸法が増加することはない。しかも、本体の外面に突出する部分がないため、デザイン性にも優れる。
【００４０】
さらに、上記操作部１３を上記対接部３１の中央部に対応する部分に配置しているため、上記操作部３１を押圧して点灯操作を行っても、押圧力がハンドルバーによってバックアップされる。このため、上記本体２のハンドルバー２９に対する取付状態がずれることもない。したがって、安定した姿勢を保持した状態で点灯、消灯操作を行うことが可能となる。
【００４１】
図１０に、本願発明に係る他の実施の形態を示す。この実施の形態は、携帯電灯４１を使用者の指４２に装着するように構成したものである。この実施の形態では、指４２の先端側に向かって光りを照射できるように、指に対接させられる図示しない対接部を、光りの照射軸と同じ方向に向けて形成している。上記構成によって、指先の方向を照らすことが可能となり、細かい作業等に利用することも可能となる。また、弾性紐体３は、縁部に設けた一対の貫通孔に連通挿させたたループ状の形態で付属させられている。
【００４２】
本願発明の範囲は上述の実施の形態に限定されることはない。実施の形態では、本体ケースの上部に操作部を設けたが、本体ケースの側部に操作部を設けることもできる。
【００４３】
また、実施の形態では、弾性紐体を掛止する掛止手段として、本体上部及び側部に掛止溝を形成したが、本体上部に突起を設けることもできる。また、本体上部のみ又は側部のみに掛止溝を設けてもよい。
【００４４】
また、対接部の形態も限定されることはなく、凹部を備える滑り止めのゴム板を接着することにより構成することもできる。
【図面の簡単な説明】
【００４５】
【図１】本願発明に係る携帯電灯の正面図である。
【図２】本願発明に係る携帯電灯の平面図である。
【図３】本願発明に係る携帯電灯の右側面図である。
【図４】本願発明に係る携帯電灯の左側面図である。
【図５】本願発明に係る携帯電灯の底面図である。
【図６】回路基板と、電池と、発光体の組付け状態を表す正面図である。
【図７】回路基板と、電池と、発光体の組付け状態を表す平面図である。
【図８】図１に示す携帯電灯の内部構造を示す要部の断面図である。
【図９】図１に示す携帯電灯を自転車のハンドルバーに装着した状態を示す側面図である。
【図１０】他の実施の形態を示す平面図である。
【符号の説明】
【００４６】
１２  発光体
２  本体と、
３  弾性紐体
３０  掛止手段
３１  対接部
【図１】
2005235780.tif 000003
【図２】
2005235780.tif 000004
【図３】
2005235780.tif 000005
【図４】
2005235780.tif 000006
【図５】
2005235780.tif 000007
【図６】
2005235780.tif 000008
【図７】
2005235780.tif 000009
【図８】
2005235780.tif 000010
【図９】
2005235780.tif 000011
【図１０】
2005235780.tif 000012